(57)【特許請求の範囲】
【請求項１】
薬物溶出外科用ねじであって、
ねじ部を有する軸と、
前記軸の近位末端に配置された駆動凹部を有する頭部であって、前記駆動凹部が収容容器領域及びドライバ係合領域を有する、頭部と、
ドライバが前記ドライバ係合領域内に動作可能に配置された場合、前記ドライバと前記外科用ねじとの間の接続を実質的に損なわない様式で、前記駆動凹部の前記収容容器領域内に配置された薬物溶出フィルムと、を含み、
前記ねじが前記薬物溶出フィルムを保持する構成となるように、前記薬物溶出フィルムが、前記ねじに結合されており、
前記薬物溶出フィルムが、担体マトリックスと治療薬の混合物を含み、前記治療薬が、前記薬物溶出外科用ねじの任意の植え込み前に、前記薬物溶出フィルムの少なくとも２０重量％であり、
前記薬物溶出フィルムは、前記薬物溶出外科用ねじが動物に植え込まれたときから７日以内に、少なくとも５０％の前記治療薬を溶出するように設計されている、薬物溶出外科用ねじ。
【請求項２】
前記薬物溶出フィルムの前記治療薬の濃度が、前記薬物溶出外科用ねじの任意の植え込み前に、前記薬物溶出フィルムの２０重量％〜６０重量％である、請求項１に記載の薬物溶出外科用ねじ。
【請求項３】
前記薬物溶出フィルムの前記治療薬の濃度が、前記薬物溶出外科用ねじの任意の植え込み前に、前記薬物溶出フィルムの２０重量％〜４０重量％である、請求項２に記載の薬物溶出外科用ねじ。
【請求項４】
前記薬物溶出フィルムが、その治療薬の少なくとも８０％を、前記薬物溶出外科用ねじが動物に植え込まれたときから３日間の期間にわたり、溶出するように設計される、請求項１に記載の薬物溶出外科用ねじ。
【請求項５】
前記収容容器領域が、収容容器容積を画定し、前記駆動凹部が、駆動凹部容積を画定し、前記収容容器容積が、前記駆動凹部容積の１０％〜１２％である、請求項１に記載の薬物溶出外科用ねじ。
【請求項６】
前記駆動凹部の前記収容容器領域が、前記ドライバ係合領域と隣接しており、前記薬物溶出フィルムが、前記ドライバ係合領域内に延出しない、請求項１に記載の薬物溶出外科用ねじ。
【請求項７】
前記薬物溶出フィルムの前記担体マトリックスが、生体吸収性ポリマーを含む、請求項１に記載の薬物溶出外科用ねじ。
【請求項８】
前記生体吸収性ポリマーが、ポリカプロラクトン、ポリ乳酸、ポリグリコール酸、ポリエチレングリコール、又はこれらの組み合わせを含む、請求項７に記載の薬物溶出外科用ねじ。
【請求項９】
前記薬物溶出フィルムの前記担体マトリックスが、ポリエチレングリコール、ポリビニルアルコール、グリセリン、塩、又は水溶性結晶固体を含む、請求項１に記載の薬物溶出外科用ねじ。
【請求項１０】
前記薬物溶出フィルムの前記担体マトリックスが、シリカ、ヒドロキシアパタイト、リン酸カルシウム、バイオガラス、又はこれらの組み合わせを含む、請求項１に記載の薬物溶出外科用ねじ。
【請求項１１】
前記薬物溶出フィルムの前記担体マトリックスが、疎水性生体吸収性ポリマーを含む、請求項１に記載の薬物溶出外科用ねじ。
【請求項１２】
前記薬物溶出フィルムの前記担体マトリックスが、非吸収性ポリマーを含む、請求項１に記載の薬物溶出外科用ねじ。
【請求項１３】
前記薬物溶出フィルムの前記担体マトリックスが、非吸収性ポリマー及び生体吸収性ポリマーを含む、請求項１に記載の薬物溶出外科用ねじ。
【請求項１４】
前記薬物溶出フィルムの前記担体マトリックスが、浸食可能セラミック又は生体安定セラミックを含む、請求項１に記載の薬物溶出外科用ねじ。
【請求項１５】
前記薬物溶出フィルムの前記担体マトリックスが、非吸収性ポリマー及び可溶性添加剤を含む、請求項１に記載の薬物溶出外科用ねじ。
【請求項１６】
前記薬物溶出フィルムが、前記フィルムの表面における方向から前記フィルムの深さにわたって、前記フィルム内の前記治療薬の濃度勾配を含む、請求項１に記載の薬物溶出外科用ねじ。
【請求項１７】
前記治療薬が、抗生物質であるか、又は、前記治療薬が、ゲンタマイシンを含む、請求項１に記載の薬物溶出外科用ねじ。
【請求項１８】
前記収容容器領域内に前記薬物溶出フィルムを保持するように設計され、そのような寸法にされた縁を更に含む、請求項１に記載の薬物溶出外科用ねじ。
【請求項１９】
少なくとも２つの治療薬を更に含む、請求項１に記載の薬物溶出外科用ねじ。
【請求項２０】
少なくとも２つの薬物溶出フィルムを更に含む、請求項１に記載の薬物溶出外科用ねじ。
【請求項２１】
前記治療薬は、前記薬物溶出フィルム中に溶解されている、請求項１に記載の薬物溶出外科用ねじ。
【請求項２２】
前記治療薬は、前記薬物溶出フィルム内で分離性の粒子として配置されている、請求項１に記載の薬物溶出外科用ねじ。
【発明の詳細な説明】
【技術分野】
【０００１】
（関連出願の相互参照）
本出願は、２０１２年８月１５日に出願された「Ｄｒｕｇ  Ｅｌｕｔｉｎｇ  Ｓｕｒｇｉｃａｌ  Ｓｃｒｅｗ」と題する米国仮特許出願第６１／６８３，２６２号の利益を主張するものであり、当該出願は参照によりその全体が本明細書に組み込まれる。
【背景技術】
【０００２】
外科手術後の感染リスクについては、十分に記述されている。創傷部位中の骨折部固定プレート（例えば、整形外科用骨折部固定プレート）などの異物の存在は、細菌が接着及び増殖し、バイオフィルムを形成し、宿主の免疫系を回避するための基材を提供することになり、外科手術後の感染リスクを増大させ得る。感染リスクは、外科手術前の創傷の細菌汚染が一般的である開放骨折の場合に増大し得る。インプラント関連感染の結果は重大であることがあり、感染の再発は慢性骨髄炎、治癒障害、及びことによると四肢切断をもたらす。この問題に取り組むために抗生物質溶出インプラントが開発されている。
【発明の概要】
【課題を解決するための手段】
【０００３】
本発明の一実施形態は、薬物溶出外科用ねじであり、該薬物溶出外科用ねじは、ねじ部を有する軸と；この軸の近位末端に配置された駆動凹部を有する頭部であって、この駆動凹部が収容容器領域及びドライバ係合領域を有する、頭部と；ドライバがこのドライバ係合領域内に動作可能に配置された場合、ドライバと外科用ねじとの接続を実質的に損なわない様式で、駆動凹部の収容容器領域内に配置された少なくとも１つ又は２つ以上の薬物溶出構成要素と；を含み、この少なくとも１つ又は２つ以上の薬物溶出構成要素のうちのそれぞれは、担体マトリックス及び治療薬を含み、この治療薬は、薬物溶出外科用ねじの任意の植え込み前に、薬物溶出構成要素の少なくとも約２０重量％である。
【０００４】
一実施形態では、少なくとも１つ又は２つ以上の薬物溶出構成要素のうちの少なくとも１つは、その治療薬の少なくとも約８０％を、薬物溶出外科用ねじが動物に植え込まれたときから３日間の期間にわたり、溶出するように設計される。
【０００５】
一実施形態では、少なくとも１つ又は２つ以上の薬物溶出構成要素のうちの少なくとも１つの、治療薬の濃度は、薬物溶出外科用ねじの任意の植え込み前に、少なくとも１つ又は２つ以上の薬物溶出構成要素のうちの少なくとも１つの約２０重量％〜約６０重量％である。
【０００６】
一実施形態では、少なくとも１つ又は２つ以上の薬物溶出構成要素のうちの少なくとも１つの、治療薬濃度は、薬物溶出外科用ねじの任意の植え込み前に、少なくとも１つ又は２つ以上の薬物溶出構成要素のうちの少なくとも１つの約２０重量％〜約４０重量％である。
【０００７】
一実施形態では、収容容器領域は、収容容器容積を画定し、駆動凹部は、駆動凹部容積を画定し、収容容器容積は、駆動凹部容積の約１０％〜約１２％である。一実施形態では、駆動凹部の収容容器領域は、ドライバ係合領域と隣接しており、少なくとも１つ又は２つ以上の薬物溶出構成要素は、ドライバ係合領域内に延出しない。一実施形態では、少なくとも１つ又は２つ以上の薬物溶出構成要素のうちの少なくとも１つの、担体マトリックスは、生体吸収性ポリマーを含む。一実施形態では、生体吸収性ポリマーは、ポリカプロラクトン、ポリ乳酸、ポリグリコール酸、ポリエチレングリコール、又はこれらの組み合わせを含む。別の実施形態では、少なくとも１つ又は２つ以上の薬物溶出構成要素のうちの少なくとも１つの、担体マトリックスは、ポリエチレングリコール、ポリビニルアルコール、グリセリン、塩、又は水溶性結晶固体を含む。別の実施形態では、少なくとも１つ又は２つ以上の薬物溶出構成要素のうちの少なくとも１つの、担体マトリックスは、シリカ、ヒドロキシアパタイト、リン酸カルシウム、バイオガラス、又はこれらの組み合わせを含む。別の実施形態では、少なくとも１つ又は２つ以上の薬物溶出構成要素のうちの少なくとも１つの、担体マトリックスは、疎水性生体吸収性ポリマーを含む。一実施形態では、疎水性生体吸収性ポリマーは、水膨潤性添加剤を含み、これは体内への植え込み後、水で膨潤する。一実施形態では、少なくとも１つ又は２つ以上の薬物溶出構成要素のうちの少なくとも１つの、担体マトリックスは、非吸収性ポリマーを含む。一実施形態では、非吸収性ポリマーは、ポリ（メチルメタクリレート）を含む。一実施形態では、少なくとも１つ又は２つ以上の薬物溶出構成要素のうちの少なくとも１つの、担体マトリックスは、非吸収性ポリマー及び生体吸収性ポリマーを含む。一実施形態では、生体吸収性ポリマーは、ポリカプロラクトン、ポリ乳酸、ポリグリコール酸、ポリエチレングリコール、又はこれらの組み合わせを含む。一実施形態では、少なくとも１つ又は２つ以上の薬物溶出構成要素のうちの少なくとも１つの、生体吸収性ポリマーは、浸食可能セラミックを含む。一実施形態では、少なくとも１つ又は２つ以上の薬物溶出構成要素のうちの少なくとも１つの、生体吸収性ポリマーは、生体安定セラミックを含む。一実施形態では、少なくとも１つ又は２つ以上の薬物溶出構成要素のうちの少なくとも１つの、生体吸収性ポリマーは、天然生体ポリマーを含む。一実施形態では、天然生体ポリマーは、ゼラチン、アルギン酸塩、キトサン、コラーゲン、又はヒアルロン酸塩を含む。
【０００８】
一実施形態では、１つ又は２つ以上の薬物溶出構成要素のうちの少なくとも１つは、非吸収性ポリマー及び可溶性添加剤を含む。別の実施形態では、非吸収性ポリマーは、ポリ（メチルメタクリレート）を含む。別の実施形態では、可溶性添加剤は、ポリエチレングリコール、ポリビニルアルコール、グリセリン、塩、又は水溶性結晶固体を含む。
【０００９】
一実施形態では、少なくとも１つ又は２つ以上の薬物溶出構成要素のうちの少なくとも１つの、治療薬は、濃度勾配を含む。
【００１０】
一実施形態では、少なくとも１つ又は２つ以上の薬物溶出構成要素のうちの少なくとも１つの、治療薬は、ゲンタマイシンを含む。別の実施形態では、少なくとも１つ又は２つ以上の薬物溶出構成要素のうちの少なくとも１つの、治療薬は、ステロイドを含む。別の実施形態では、ステロイドは、血管新生抑制性ステロイドである。一実施形態では、少なくとも１つ又は２つ以上の薬物溶出構成要素のうちの少なくとも１つの、治療薬は、抗炎症薬を含む。一実施形態では、少なくとも１つ又は２つ以上の薬物溶出構成要素のうちの少なくとも１つの、治療薬は、抗増殖性化合物を含む。一実施形態では、少なくとも１つ又は２つ以上の薬物溶出構成要素のうちの少なくとも１つの、治療薬は、抗真菌化合物を含む。一実施形態では、少なくとも１つ又は２つ以上の薬物溶出構成要素のうちの少なくとも１つの、治療薬は、抗有糸分裂性化合物を含む。一実施形態では、少なくとも１つ又は２つ以上の薬物溶出構成要素のうちの少なくとも１つの、治療薬は、代謝拮抗性化合物を含む。一実施形態では、少なくとも１つ又は２つ以上の薬物溶出構成要素のうちの少なくとも１つの、治療薬は、疼痛緩和薬を含む。一実施形態では、少なくとも１つ又は２つ以上の薬物溶出構成要素のうちの少なくとも１つの、治療薬は、副腎皮質ホルモンを含む。一実施形態では、少なくとも１つ又は２つ以上の薬物溶出構成要素のうちの少なくとも１つの、治療薬は、非ステロイド性抗炎症薬を含む。一実施形態では、少なくとも１つ又は２つ以上の薬物溶出構成要素のうちの少なくとも１つの、治療薬は、コドラッグを含む。一実施形態では、少なくとも１つ又は２つ以上の薬物溶出構成要素のうちの少なくとも１つの、治療薬は、増殖因子を含む。一実施形態では、増殖因子は、骨形態形成タンパク質２を含む。一実施形態では、少なくとも１つ又は２つ以上の薬物溶出構成要素のうちの少なくとも１つの、治療薬は、局所麻酔薬を含む。一実施形態では、局所麻酔薬は、リドカインを含む。
【００１１】
一実施形態では、収容容器領域は、少なくとも１つ又は２つ以上の薬物溶出構成要素が硬化状態にある場合、少なくとも１つ又は２つ以上の薬物溶出構成要素を保持するように形作られ、そのような寸法にされる。
【００１２】
一実施形態では、薬物溶出外科用ねじは、少なくとも１つ又は２つ以上の薬物溶出構成要素が硬化状態にある場合、薬物溶出構成要素を保持するように設計され、そのような寸法にされた縁を更に含む。
【００１３】
一実施形態では、薬物溶出外科用ねじは、少なくとも２つの薬物溶出構成要素を更に含む。
【００１４】
一実施形態では、本発明は、薬物溶出外科用ねじの製造方法であり、この方法は、薬物溶出構成要素を溶媒と混合して溶液を形成することであって、この薬物溶出構成要素が、担体マトリックス及び治療薬を含み、この治療薬が、薬物溶出外科用ねじの任意の植え込み前に、薬物溶出構成要素の少なくとも約２０重量％である、形成することと；この溶液を加熱して溶媒を蒸発させ、フィルムを形成することと；このフィルムの少なくとも一部を、外科用ねじの駆動凹部を補完するサイズ及び形状に設計することと；このフィルムの少なくとも一部を外科用ねじの駆動凹部に入れることと；このフィルムの少なくとも一部を加熱して駆動凹部の断面のサイズ及び形状と一致させることと；この加熱済みフィルムの少なくとも一部を形成ツールで駆動凹部に圧入することと、を含む。形成ツールは好ましくは、加熱済みフィルムに十分な圧力を適用して、フィルムと外科用ねじとの間に結合を生成するために使用される。
【００１５】
一実施形態では、本発明は、薬物溶出外科用ねじの製造方法であり、この方法は、薬物溶出構成要素を調合することであって、この薬物溶出構成要素が、担体マトリックス及び治療薬を含み、この治療薬が、薬物溶出外科用ねじの任意の植え込み前に、薬物溶出構成要素の少なくとも約２０重量％である、調合することと；この調合した薬物溶出構成要素を押し出して、フィルムを形成することと；このフィルムの少なくとも一部を、外科用ねじの駆動凹部を補完するサイズ及び形状に設計することと；このフィルムの少なくとも一部を外科用ねじの駆動凹部に入れることと；このフィルムの少なくとも一部を加熱して駆動凹部の断面のサイズ及び形状と一致させることと；この加熱済みフィルムの少なくとも一部を形成ツールで駆動凹部に圧入することと、を含む。
【００１６】
一実施形態では、本発明は、薬物溶出外科用ねじの製造方法であり、この方法は、薬物溶出構成要素を調合することであって、この薬物溶出構成要素が、担体マトリックス及び治療薬を含み、この治療薬が、薬物溶出外科用ねじの任意の植え込み前に、薬物溶出構成要素の少なくとも約２０重量％である、調合することと；この調合した薬物溶出構成要素を圧縮成形して、フィルムを形成することと；このフィルムの少なくとも一部を、外科用ねじの駆動凹部を補完するサイズ及び形状に設計することと；このフィルムの少なくとも一部を外科用ねじの駆動凹部に入れることと；このフィルムの少なくとも一部を加熱して駆動凹部の断面のサイズ及び形状と一致させることと；この加熱済みフィルムの少なくとも一部を形成ツールで駆動凹部に圧入することと、を含む。
【００１７】
一実施形態では、各工程は、追加の薬物溶出構成要素を外科用ねじの駆動凹部に付加するために、連続的に繰り返される。
【００１８】
一実施形態では、薬物溶出構成要素は、治療薬の少なくとも約８０％を、薬物溶出外科用ねじが動物に植え込まれたときから３日間の期間にわたり、溶出するように設計される。
【００１９】
一実施形態では、治療薬の濃度は、薬物溶出外科用ねじの任意の植え込み前に、薬物溶出構成要素の約２０重量％〜約６０重量％である。
【００２０】
一実施形態では、治療薬の濃度は、薬物溶出外科用ねじの任意の植え込み前に、薬物溶出構成要素の約２０重量％〜約４０重量％である。
【００２１】
一実施形態では、担体マトリックスは、生体吸収性ポリマーを含む。一実施形態では、生体吸収性ポリマーは、ポリカプロラクトン、ポリ乳酸、ポリグリコール酸、ポリエチレングリコール、又はこれらの組み合わせを含む。一実施形態では、担体マトリックスは、ポリエチレングリコール、ポリビニルアルコール、グリセリン、塩、又は水溶性結晶固体を含む。一実施形態では、担体マトリックスは、シリカ、ヒドロキシアパタイト、リン酸カルシウム、バイオグラス、又はこれらの組み合わせを含む。一実施形態では、担体マトリックスは、疎水性生体吸収性ポリマーを含む。一実施形態では、疎水性生体吸収性ポリマーは、水膨潤性添加剤を含み、これは体内への植え込み後、水で膨潤する。一実施形態では、担体マトリックスは、非吸収性ポリマーを含む。別の実施形態では、非吸収性ポリマーは、ポリ（メチルメタクリレート）を含む。一実施形態では、担体マトリックスは、非吸収性ポリマー及び生体吸収性ポリマーを含む。一実施形態では、生体吸収性ポリマーは、ポリカプロラクトン、ポリ乳酸、ポリグリコール酸、ポリエチレングリコール、又はこれらの組み合わせを含む。一実施形態では、生体吸収性ポリマーは、浸食可能セラミックを含む。一実施形態では、生体吸収性ポリマーは、生体安定セラミックを含む。一実施形態では、生体吸収性ポリマーは、天然生体ポリマーを含む。別の実施形態では、天然生体ポリマーは、ゼラチン、アルギン酸塩、キトサン、コラーゲン、又はヒアルロン酸塩を含む。
【００２２】
一実施形態では、薬物溶出構成要素は、非吸収性ポリマー及び可溶性添加剤を含む。一実施形態では、非吸収性ポリマーは、ポリ（メチルメタクリレート）を含む。一実施形態では、可溶性添加剤は、ポリエチレングリコール、ポリビニルアルコール、グリセリン、塩、又は水溶性結晶固体を含む。
【００２３】
一実施形態では、薬物溶出構成要素は、濃度勾配を含む。
【００２４】
一実施形態では、治療薬は、ゲンタマイシンを含む。別の実施形態では、治療薬は、ステロイドを含む。一実施形態では、ステロイドは、血管新生抑制性ステロイドである。一実施形態では、治療薬は、抗炎症薬を含む。一実施形態では、治療薬は、抗増殖性化合物を含む。一実施形態では、治療薬は、抗真菌化合物を含む。一実施形態では、治療薬は、抗有糸分裂性化合物を含む。一実施形態では、治療薬は、代謝拮抗性化合物を含む。一実施形態では、治療薬は、疼痛緩和薬を含む。一実施形態では、治療薬は、副腎皮質ホルモンを含む。一実施形態では、治療薬は、非ステロイド性抗炎症薬を含む。一実施形態では、治療薬は、コドラッグを含む。一実施形態では、治療薬は、増殖因子を含む。一実施形態では、増殖因子は、骨形態形成タンパク質２を含む。別の実施形態では、治療薬は、局所麻酔薬を含む。一実施形態では、局所麻酔薬は、リドカインを含む。
【００２５】
本発明の一実施形態は、薬物溶出外科用ねじであり、該薬物溶出外科用ねじは、ねじ部を有する軸と；この軸の近位末端に配置された駆動凹部を有する頭部であって、この駆動凹部が収容容器領域及びドライバ係合領域を有する、頭部と；ドライバがこのドライバ係合領域内に動作可能に配置された場合、ドライバと外科用ねじとの間の接続を実質的に損なわない様式で、駆動凹部の収容容器領域内に配置された薬物溶出構成要素と、を含み、この薬物溶出構成要素は、担体マトリックス及び治療薬を含み、この治療薬は、薬物溶出外科用ねじの任意の植え込み前に、薬物溶出構成要素の少なくとも約２０重量％である。
【００２６】
一実施形態では、薬物溶出構成要素は、治療薬の少なくとも約８０％を、薬物溶出外科用ねじが動物に植え込まれたときから３日間の期間にわたり、溶出するように設計される。別の実施形態では、治療薬の濃度は、薬物溶出外科用ねじの任意の植え込み前に、薬物溶出構成要素の約２０重量％〜約６０重量％である。別の実施形態では、治療薬の濃度は、薬物溶出外科用ねじの任意の植え込み前に、薬物溶出構成要素の約２０重量％〜約４０重量％である。
【００２７】
一実施形態では、収容容器領域は、収容容器容積を画定し、駆動凹部は、駆動凹部容積を画定し、収容容器容積は、駆動凹部容積の約１０％〜約１２％である。
【００２８】
別の実施形態では、駆動凹部の収容容器領域は、ドライバ係合領域と隣接しており、薬物溶出構成要素は、ドライバ係合領域内に延出しない。
【００２９】
ある実施形態では、担体マトリックスは、ポリカプロラクトン、ポリ乳酸、ポリグリコール酸、ポリエチレングリコール、又はこれらの組み合わせを含む。
【００３０】
一実施形態では、治療薬は、ゲンタマイシンを含む。
【００３１】
他の実施形態では、収容容器領域は、薬物溶出構成要素が硬化状態にある場合、薬物溶出構成要素を保持するように形作られ、そのような寸法にされる。
【００３２】
別の実施形態では、薬物溶出外科用ねじは、薬物溶出構成要素が硬化状態にある場合、薬物溶出構成要素を保持するように設計され、そのような寸法にされた縁を更に含む。
【００３３】
一実施形態では、本発明は、薬物溶出外科用ねじの製造方法を目的とし、この方法は、薬物溶出構成要素を溶媒と混合して溶液を形成することであって、この薬物溶出構成要素が、担体マトリックス及び治療薬を含み、この治療薬が、薬物溶出外科用ねじの任意の植え込み前に、薬物溶出構成要素の少なくとも約２０重量％である、形成することと；この溶液を加熱して溶媒を蒸発させ、フィルムを形成することと；このフィルムの少なくとも一部を、外科用ねじの駆動凹部を補完するサイズ及び形状に設計することと；このフィルムの少なくとも一部を外科用ねじの駆動凹部に入れることと；このフィルムの少なくとも一部を加熱して駆動凹部の断面のサイズ及び形状と一致させることと；この加熱済みフィルムの少なくとも一部を駆動凹部に圧入することと、を含む。形成ツールは好ましくは、加熱済みフィルムに十分な圧力を適用して、フィルムと外科用ねじとの間の結合を生成するために使用される。
【００３４】
一実施形態では、薬物溶出構成要素は、治療薬の少なくとも約８０％を、薬物溶出外科用ねじが動物に植え込まれたときから３日間の期間にわたり、溶出するように設計される。別の実施形態では、治療薬は、薬物溶出外科用ねじの任意の植え込み前に、薬物溶出構成要素の約２０重量％〜約６０重量％である。別の実施形態では、治療薬の濃度は、薬物溶出外科用ねじの任意の植え込み前に、薬物溶出構成要素の約２０重量％〜約４０重量％である。
【００３５】
一実施形態では、担体マトリックスは、ポリカプロラクトン、ポリ乳酸、ポリグリコール酸、ポリエチレングリコール、又はこれらの組み合わせを含む。
【００３６】
ある実施形態では、治療薬は、ゲンタマイシンを含む。
【図面の簡単な説明】
【００３７】
前述の発明の概要並びに本発明の実施形態の以下の詳細な説明は、例示的な実施形態の添付の図面と併せて読むとよりよく理解されるであろう。しかしながら、本発明は、図示された精密な配置及び手段に限定されるものでないことを理解すべきである。
【００３８】
図面は以下の通りである。
【図１Ａ】一実施形態に従う外科用ねじの上面図である。
【図１Ｂ】一実施形態に従う外科用ねじの側面透視部分的断面図である。
【図２Ａ】駆動凹部内に薬物溶出マトリックスを有する外科用ねじの実施形態の上面図である。
【図２Ｂ】駆動凹部内に薬物溶出マトリックスを有する外科用ねじの実施形態の側面透視部分的断面図である。
【図３Ａ】拡散障壁層を伴う駆動凹部内に薬物溶出マトリックスを有する外科用ねじの実施形態の上面図である。
【図３Ｂ】拡散障壁層を伴う駆動凹部内に薬物溶出マトリックスを有する外科用ねじの実施形態の側面透視部分的断面図である。
【図４Ａ】２種類の異なる薬物を含有する、駆動凹部内に２層の薬物溶出マトリックスを有する外科用ねじの実施形態の上面図である。
【図４Ｂ】２種類の異なる薬物を含有する、駆動凹部内に２層の薬物溶出マトリックスを有する外科用ねじの実施形態の側面透視部分的断面図である。
【図５Ａ】勾配状薬物濃度で、駆動凹部内に薬物溶出マトリックスを有する外科用ねじの実施形態の上面図である。
【図５Ｂ】勾配状薬物濃度で、駆動凹部内に薬物溶出マトリックスを有する外科用ねじの実施形態の側面透視部分的断面図である。
【図６Ａ】駆動凹部の底に付加された追加の収容容器を有し、かつ駆動凹部内に薬物溶出マトリックスを有する外科用ねじの実施形態の上面図である。
【図６Ｂ】駆動凹部の底に付加された追加の収容容器を有し、かつ駆動凹部内に薬物溶出マトリックスを有する外科用ねじの実施形態の側面透視部分的断面図である。
【図７Ａ】薬物溶出構成要素が硬化状態にある場合、薬物溶出構成要素を保持するように設計され、そのような寸法にされた縁を有する外科用ねじの実施形態の上面図である。
【図７Ｂ】薬物溶出構成要素が硬化状態にある場合、薬物溶出構成要素を保持するように設計され、そのような寸法にされた縁を有する外科用ねじの実施形態の側面透視部分的断面図である。
【発明を実施するための形態】
【００３９】
添付の図面を参照して、本発明の様々な実施形態が以下により完全に説明される。全てではないがいくつかの本発明の実施形態が示される。実際に、本発明の様々な実施形態は、多くの異なる形態で実施可能であり、明示的に記載された実施形態に限定されると解釈されるべきでない。同様の数字は、全体を通して同様の要素を指す。単数形「ａ」、「ａｎ」、及び「ｔｈｅ」は、内容的に明らかに示されていないかぎり、単数及び複数を含む。
【００４０】
概ね図１Ａ〜７Ｂに示されるように、本発明の実施形態は、外科用ねじ１００を目的とする。いくつかの実施形態では、外科用ねじは、軸１１０を有する。一実施形態では、軸１１０は、ねじ部１２０を有する。ある実施形態では、外科用ねじ１００は、軸１１０の近位末端１３０に配置された頭部１４０を含む。一実施形態では、頭部１４０は、駆動凹部１５０を有する。一実施形態では、駆動凹部１５０は、六角形に形作られる。六角形に形作られることが例示されているが、駆動凹部１５０の形状は、ねじ全体に挿入力を分配するために好適な任意の様式、例えば、他の多角形若しくは概ね多角形の形状、半円形、スロット型、十字穴型、六角星型、又は多丸穴に設計されてよいことが想定される。
【００４１】
図２Ｂを参照すると、ある実施形態では、駆動凹部１５０は、収容容器領域１６０及びドライバ係合領域１７０を有する。図２Ｂと６Ｂとを比較することにより分かるように、ある実施形態では、収容容器領域１６０は、様々な形状及び深さのものであってよい。収容容器領域１６０は、ドライバがドライバ係合領域１７０内に動作可能に配置された場合、ドライバと外科用ねじ１００との間の接続を実質的に損なわないであろう様式で薬物溶出構成要素２００でコーティングされ得る、ねじ１００の頭部１４０の任意の領域であってよい。ドライバ係合領域１７０は、ドライバが頭部１４０内に動作可能に配置された場合、ドライバと係合可能である、薬物溶出構成要素２００でコーティングされた又はコーティングされていない、ねじ１００の頭部１４０の任意の領域であってよい。収容容器領域１６０及びドライバ係合領域１７０は、排他的である必要はなく、重なり合ってよい。
【００４２】
一実施形態では、収容容器領域１６０は、収容容器容積２１０を画定し、駆動凹部１５０は、ドライバ凹部容積２２０を画定し、収容容器容積２１０は、ドライバ凹部容積の約１０％〜約１２％である。他の実施形態では、収容容器容積２１０は、ドライバ凹部容積２２０の約８％、約８．５％、約９％、約９．５％、約１０％、約１０．５％、約１１％、約１１．５％、約１２％、約１２．５％、約１３％、約１３．５％、約１４％、又は上記割合から決定可能な任意の範囲（例えば、約８％〜約９．５％、又は約８．５％〜約１３％）である。
【００４３】
ある実施形態では、多層の薬物溶出構成要素が、駆動凹部１５０の収容容器領域１６０内に層化され、多数の治療薬が様々な速度で、連続的に、又は同時に、様々な濃度で放出されるのを可能にし得る。これらの層のうちの１層は、治療薬を含有しないが薬物の拡散を阻害するための障壁層として働いてもよい。障壁層としての機能を果たすことができる例示的な材料としては、生体吸収性ポリマー、例えばポリカプロラクトン又はポリグリコリド、天然脂肪酸、例えばパルミチン酸又はステアリン酸、及び天然生体ポリマー、例えばコラーゲン又はアルギン酸塩が挙げられる。
【００４４】
図３Ｂで示されるように、一実施形態では、拡散障壁層３００及び薬物溶出構成要素２００の両方が、駆動凹部１５０の収容容器領域１６０内に配置される。
【００４５】
更に、図４Ｂは、２つの薬物溶出構成要素ある薬物溶出構成要素２００及び薬物溶出構成要素４００が、駆動凹部１５０の収容容器領域１６０内に配置された、外科用ねじの例示的な図を示す。いくつかの実施形態では、薬物溶出構成要素２００及び薬物溶出構成要素４００は、異なる治療薬を含む。他の実施形態では、薬物溶出構成要素２００及び薬物溶出構成要素４００は、異なる放出速度で治療薬を溶出するように設計される。
【００４６】
図５Ｂは、勾配状濃度の薬物溶出構成要素５００を有する、本発明の例示的な実施形態を示し、例えば、治療薬は表面ではより低い濃度であり、深さがより深くなるにつれて徐々に濃度がより高くなり、又はあるいは、治療薬は表面ではより高い濃度であり、深さがより深くなるにつれて徐々に濃度がより低くなる。
【００４７】
図２Ｂで概ね示されるように、本発明の一実施形態は、駆動凹部１５０の収容容器領域１６０内に配置された薬物溶出構成要素２００を含む。ある実施形態では、薬物溶出構成要素２００は、ドライバがドライバ係合領域１７０内に動作可能に配置された場合、薬物溶出構成要素２００がドライバと外科用ねじ１００との間の接続を実質的に損なわないような様式で位置付けられる。例えば、図２Ｂで示されるように、薬物溶出構成要素２００は、頭部１４０の基部２３０に位置付けられよい。他の実施形態では、駆動凹部１５０の収容容器領域１６０は、ドライバ係合領域１７０と隣接しており、薬物溶出構成要素２００は、ドライバ係合領域１７０内に延出しない。
【００４８】
一実施形態では、収容容器領域１６０は、薬物溶出構成要素２００が硬化状態にある場合、薬物溶出構成要素２００を保持するように形作られ、そのような寸法にされる。例えば、図７Ａ及び７Ｂで示されるように、外科用ねじ１００は、薬物溶出構成要素２００が硬化状態にある場合、薬物溶出構成要素２００を保持するように設計され、そのような寸法にされた縁７００を含む。
【００４９】
一実施形態では、薬物溶出構成要素２００は、治療薬を含有する担体マトリックスを含む。ある実施形態では、担体マトリックスは、治療薬の体内への放出速度を促進する材料、例えば、ポリマー、セラミック、又はハイドロゲルを含む。一実施形態では、担体マトリックスは、生体吸収性ポリマー、例えば、ポリカプロラクトン、ポリ乳酸、ポリグリコール酸、ポリエチレングリコール、又はこれらの組み合わせを含む。
【００５０】
他の実施形態では、担体マトリックスは、制御された速度で溶解し、治療薬がそこを通って溶出できる孔を生成する、可溶性添加剤を含む。可溶性添加剤の例として、ポリエチレングリコール、ポリビニルアルコール、グリセリン、塩、又は水溶性結晶固体が挙げられる。可溶性添加剤の量を変化させることにより、治療薬の溶出速度を変更することができる。様々な放出速度を有するある実施形態は、多数の薬物溶出構成要素を有することにより達成することができ、それぞれは、様々な可溶性添加剤を有する様々な生体吸収性マトリックスを有する。
【００５１】
別の実施形態では、担体マトリックスは、体内への植え込み後に水で膨潤し、治療薬が速い速度で放出されるのを可能にする、水膨潤性添加剤を含有する、疎水性生体吸収性ポリマーを含む。水膨潤性添加剤の量を変化させることにより、治療薬の溶出速度を変更することができる。
【００５２】
一実施形態では、担体マトリックスは、非吸収性ポリマー、例えば、ポリ（メチルメタクリレート）を含む。
【００５３】
別の実施形態では、担体マトリックスは、非吸収性ポリマー及び可溶性添加剤、例えば、ポリエチレングリコール、ポリビニルアルコール、グリセリン、塩、又は水溶性結晶固体を含む。可溶性添加剤は、制御された速度で溶解し、非吸収性マトリックス中に、治療薬がそこを通って溶出できる孔を生成する。
【００５４】
ある実施形態では、担体マトリックスは、生体吸収性ポリマー及び非吸収性ポリマーの配合物を含む。
【００５５】
他の実施形態では、担体マトリックスは、浸食可能又は生体安定セラミック、例えば、シリカ、ヒドロキシアパタイト、リン酸カルシウム、バイオガラス、又はこれらの組み合わせを含む。
【００５６】
一実施形態では、担体マトリックスは、天然生体ポリマー、例えば、ゼラチン、アルギン酸塩、キトサン、コラーゲン、又はヒアルロン酸塩を含む。
【００５７】
一実施形態では、治療薬は、抗生物質、又は複数の抗生物質の組み合わせを含む。一実施形態では、治療薬は、ゲンタマイシンを含む。
【００５８】
他の実施形態では、治療薬は、ステロイド、抗炎症薬、抗増殖性化合物、抗真菌化合物、抗有糸分裂性化合物、代謝拮抗性化合物、疼痛緩和薬、副腎皮質ホルモン、血管新生抑制性ステロイド、非ステロイド性抗炎症薬、及び／又はコドラッグを含む。
【００５９】
ある実施形態では、治療薬は、増殖因子、例えば、骨形態形成タンパク質２（ＢＭＰ−２）を含む。他の実施形態では、治療薬は、局所麻酔薬、例えば、リドカインを含む。
【００６０】
ある実施形態では、治療薬は、体内へのその放出を促進する材料中に完全に溶解されるか、又はその材料内で分離性の粒子のままであり得る。
【００６１】
一実施形態では、治療薬は、薬物溶出外科用ねじ１００の任意の植え込み前に、薬物溶出構成要素の少なくとも約２０重量％を構成する。一実施形態では、治療薬は、薬物溶出外科用ねじ１００の任意の植え込み前に、薬物溶出構成要素の約２０重量％〜約６０重量％を構成する。一実施形態では、治療薬は、薬物溶出外科用ねじ１００の任意の植え込み前に、薬物溶出構成要素の約２０重量％〜約４０重量％を構成する。他の実施形態では、治療薬は、薬物溶出外科用ねじ１００の任意の植えこみ前に、薬物溶出構成要素の約２０重量％、約２１重量％、約２２重量％、約２３重量％、約２４重量％、約２５重量％、約２６重量％、約２７重量％、約２８重量％、約２９重量％、約３０重量％、約３１重量％、約３２重量％、約３３重量％、約３４重量％、約３５重量％、約３６重量％、約３７重量％、約３８重量％、約３９重量％、約４０重量％、約４１重量％、約４２重量％、約４３重量％、約４４重量％、約４５重量％、約４６重量％、約４７重量％、約４８重量％、約４９重量％、約５０重量％、約５１重量％、約５２重量％、約５３重量％、約５４重量％、約５５重量％、約５６重量％、約５７重量％、約５８重量％、約５９重量％、約６０重量％、又は上記の重量割合から決定可能な任意の範囲（例えば、約５１重量％〜約５５重量％、又は約３０重量％〜約５２重量％）を構成する。
【００６２】
一実施形態では、薬物溶出構成要素２００は、治療薬の少なくとも約８０％を、薬物溶出外科用ねじ１００が動物に植え込まれたときから３日間の期間にわたり、溶出するように設計される。他の実施形態では、薬物溶出構成要素２００は、治療薬の約５０％、約５１％、約５２％、約５３％、約５４％、約５５％、約５６％、約５７％、約５８％、約５９％、約６０％、約６１％、約６２％、約６３％、約６４％、約６５％、約６６％、約６７％、約６８％、約６９％、約７０％、約７１％、約７２％、約７３％、約７４％、約７５％、約７６％、約７７％、約７８％、約７９％、約８０％、約８１％、約８２％、約８３％、約８４％、約８５％、約８６％、約８７％、約８８％、約８９％、約９０％、約９１％、約９２％、約９３％、約９４％、約９５％、約９６％、約９７％、約９８％、約９９％、約１００％、又は上記割合から決定可能な任意の範囲（例えば、約５０％〜約７７％、又は約８５％〜約９４％）を、薬物溶出外科用ねじ１００が動物に植え込まれたときから１日、２日、３日、４日、５日、６日、７日間、又は上記日数から決定可能な任意の範囲（例えば、１〜３日間、又は３〜４日間）の期間にわたり、溶出するように設計される。
【００６３】
一実施形態では、本発明は、薬物溶出外科用ねじ１００の製造方法を含む。一実施形態では、この方法は、薬物溶出構成要素に由来するフィルムを形成することを含む。一実施形態では、フィルムは、薬物溶出構成要素を溶媒と混合して溶液を形成し、この溶液を加熱して溶媒を蒸発させ、フィルムを形成することにより形成される。別の実施形態では、フィルムは、薬物溶出構成要素を、例えば、調合を含むプロセスによる融解プロセスに供し、次にこの融解した薬物溶出構成要素を押出し成形又は圧縮成形に供することにより形成される。一実施形態では、フィルムが形成された後、本方法は、フィルムの少なくとも一部を外科用ねじの駆動凹部を補完するサイズ及び形状に設計することを含む。一実施形態では、本方法は、フィルムの少なくとも一部を外科用ねじ１００の駆動凹部１５０に入れることを更に含む。一実施形態では、フィルムの少なくとも一部を駆動凹部１５０に入れた後、駆動凹部の断面のサイズ及び形状と一致させるために、フィルムの少なくとも一部を加熱する。一実施形態では、フィルムの少なくとも一部を加熱した後、本方法は、加熱済みフィルムの少なくとも一部を駆動凹部１５０に圧入することを含む。一実施形態では、形成ツール、例えば、駆動凹部内に嵌合するように形作られた末端を有するねじ回しが使用され、例えば、加熱済みフィルムを駆動凹部１５０に圧入することにより使用されて、加熱済みフィルムの少なくとも一部と駆動凹部側壁との間の十分な結合を形成する。
【００６４】
一実施形態では、例えば、図４Ａ及び４Ｂで示されるように、上記で説明される薬物溶出外科用ねじ１００の製造方法は、多層の薬物溶出構成要素を有する薬物溶出外科用ねじ１００を作製するために繰り返される。
【００６５】
一実施形態では、本発明は、インプラント、例えば、固定プレートを固定するための、薬物溶出外科用ねじ１００の使用方法を含む。一実施形態では、本方法は、例えば、穿孔により、薬物溶出ねじ１００を受容するための骨内の腔を形成することを含む。本方法は、開口部を有するインプラントを、開口部が腔と整列した状態で骨に対して置くことを更に含み得る。本方法は、薬物溶出ねじ１００を骨に固定するためにドライバを用いることを更に含んでよく、これにより、インプラントは、骨とねじの頭部との間に保持される。
【００６６】
一実施形態では、本発明は、外科手術後の感染リスクを減少させる方法を含む。一実施形態では、本方法は、薬物溶出外科用ねじ１００を用いて、外科手術後に動物内にインプラントを固定することを含む。ある実施形態では、薬物溶出構成要素２００は、インプラントの表面で局所的に抗生物質、例えば、ゲンタマイシンを溶出し、これにより感染リスクを減少させることになる。
【００６７】
本明細書の広義の発明概念から逸脱せずに、上に示されかつ記載された例示的な実施形態に対して変更を行うことができることが当業者により認識されるであろう。従って、本発明は図示されかつ記載された例示的な実施形態に限定されないが、特許請求の範囲により規定される本発明の趣旨及び範囲内の修正を網羅するように意図されることが理解される。例えば、例示的な実施形態の具体的な特徴は本願発明の一部であってもよいしそうでなくてもよく、また開示された実施形態の特徴は組み合わされてもよい。
【００６８】
本発明の図面及び説明の少なくともいくつかは、本発明の明確な理解のために適切である要素に焦点を合わせるように簡略化されてきたことは理解されるべきであるが、一方明確にするために、当業者が認める他の要素を取り除くことはまた本発明の一部分を構成してもよい。しかしながら、このような要素が当該技術分野において周知であるため、及びそれらが本発明のよりよい理解を必ずしも容易にするわけでないため、このような要素の記載は本明細書に提供されない。
【００６９】
更に、方法が本明細書に明記されている工程の特定の順序に依拠しないことの範囲内において、工程の特定の順序は特許請求の範囲に対する制限と解釈されるべきでない。本発明の方法を対象とした特許請求の範囲は、書かれた順序での工程の実施に限定されるべきでなく、また当業者は、工程が変わり得るものであり、かつ本発明の趣旨及び範囲内に依然留まり得ることを容易に認識できる。
【００７０】
〔実施の態様〕
（１）  薬物溶出外科用ねじであって、
ねじ部を有する軸と、
前記軸の近位末端に配置された駆動凹部を有する頭部であって、前記駆動凹部が収容容器領域及びドライバ係合領域を有する、頭部と、
ドライバが前記ドライバ係合領域内に動作可能に配置された場合、前記ドライバと前記外科用ねじとの間の接続を実質的に損なわない様式で、前記駆動凹部の前記収容容器領域内に配置された少なくとも１つ又は２つ以上の薬物溶出構成要素と、を含み、前記少なくとも１つ又は２つ以上の薬物溶出構成要素のうちのそれぞれが、
担体マトリックス及び治療薬を含み、前記治療薬が、前記薬物溶出外科用ねじの任意の植え込み前に、前記薬物溶出構成要素の少なくとも約２０重量％である、薬物溶出外科用ねじ。
（２）  前記少なくとも１つ又は２つ以上の薬物溶出構成要素のうちの少なくとも１つの、前記治療薬の濃度が、前記薬物溶出外科用ねじの任意の植え込み前に、前記少なくとも１つ又は２つ以上の薬物溶出構成要素のうちの前記少なくとも１つの約２０重量％〜約６０重量％である、実施態様１に記載の薬物溶出外科用ねじ。
（３）  前記少なくとも１つ又は２つ以上の薬物溶出構成要素のうちの少なくとも１つの、前記治療薬の濃度が、前記薬物溶出外科用ねじの任意の植え込み前に、前記少なくとも１つ又は２つ以上の薬物溶出構成要素のうちの前記少なくとも１つの約２０重量％〜約４０重量％である、実施態様２に記載の薬物溶出外科用ねじ。
（４）  前記少なくとも１つ又は２つ以上の薬物溶出構成要素のうちの少なくとも１つが、その治療薬の少なくとも約８０％を、前記薬物溶出外科用ねじが動物に植え込まれたときから３日間の期間にわたり、溶出するように設計される、実施態様１に記載の薬物溶出外科用ねじ。
（５）  前記収容容器領域が、収容容器容積を画定し、前記駆動凹部が、駆動凹部容積を画定し、前記収容容器容積が、前記駆動凹部容積の約１０％〜約１２％である、実施態様１に記載の薬物溶出外科用ねじ。
【００７１】
（６）  前記駆動凹部の前記収容容器領域が、前記ドライバ係合領域と隣接しており、前記少なくとも１つ又は２つ以上の薬物溶出構成要素が、前記ドライバ係合領域内に延出しない、実施態様１に記載の薬物溶出外科用ねじ。
（７）  前記少なくとも１つ又は２つ以上の薬物溶出構成要素のうちの少なくとも１つの、前記担体マトリックスが、生体吸収性ポリマーを含む、実施態様１に記載の薬物溶出外科用ねじ。
（８）  前記生体吸収性ポリマーが、ポリカプロラクトン、ポリ乳酸、ポリグリコール酸、ポリエチレングリコール、又はこれらの組み合わせを含む、実施態様７に記載の薬物溶出外科用ねじ。
（９）  前記少なくとも１つ又は２つ以上の薬物溶出構成要素のうちの少なくとも１つの、前記担体マトリックスが、ポリエチレングリコール、ポリビニルアルコール、グリセリン、塩、又は水溶性結晶固体を含む、実施態様１に記載の薬物溶出外科用ねじ。
（１０）  前記少なくとも１つ又は２つ以上の薬物溶出構成要素のうちの少なくとも１つの、前記担体マトリックスが、シリカ、ヒドロキシアパタイト、リン酸カルシウム、バイオガラス、又はこれらの組み合わせを含む、実施態様１に記載の薬物溶出外科用ねじ。
【００７２】
（１１）  前記少なくとも１つ又は２つ以上の薬物溶出構成要素のうちの少なくとも１つの、前記担体マトリックスが、疎水性生体吸収性ポリマーを含む、実施態様１に記載の薬物溶出外科用ねじ。
（１２）  前記少なくとも１つ又は２つ以上の薬物溶出構成要素のうちの少なくとも１つの、前記担体マトリックスが、非吸収性ポリマーを含む、実施態様１に記載の薬物溶出外科用ねじ。
（１３）  前記少なくとも１つ又は２つ以上の薬物溶出構成要素のうちの少なくとも１つの、前記担体マトリックスが、非吸収性ポリマー及び生体吸収性ポリマーを含む、実施態様１に記載の薬物溶出外科用ねじ。
（１４）  前記少なくとも１つ又は２つ以上の薬物溶出構成要素のうちの少なくとも１つの、前記担体マトリックスが、浸食可能セラミック又は生体安定セラミックを含む、実施態様１に記載の薬物溶出外科用ねじ。
（１５）  前記少なくとも１つ又は２つ以上の薬物溶出構成要素のうちの少なくとも１つの、前記担体マトリックスが、非吸収性ポリマー及び可溶性添加剤を含む、実施態様１に記載の薬物溶出外科用ねじ。
【００７３】
（１６）  前記少なくとも１つ又は２つ以上の薬物溶出構成要素のうちの少なくとも１つが、濃度勾配を含む、実施態様１に記載の薬物溶出外科用ねじ。
（１７）  前記少なくとも１つ又は２つ以上の薬物溶出構成要素のうちの少なくとも１つの、前記治療薬が、ゲンタマイシンを含む、実施態様１に記載の薬物溶出外科用ねじ。
（１８）  前記収容容器領域が、前記少なくとも１つ又は２つ以上の薬物溶出構成要素が硬化状態にある場合、前記少なくとも１つ又は２つ以上の薬物溶出構成要素を保持するように形作られ、そのような寸法にされる、実施態様１に記載の薬物溶出外科用ねじ。
（１９）  前記少なくとも１つ又は２つ以上の薬物溶出構成要素が硬化状態にある場合、前記薬物溶出構成要素を保持するように設計され、そのような寸法にされた縁を更に含む、実施態様１に記載の薬物溶出外科用ねじ。
（２０）  少なくとも２つの薬物溶出構成要素を更に含む、実施態様１に記載の薬物溶出外科用ねじ。
【図１Ａ】
0006312677.tif 000002
【図１Ｂ】
0006312677.tif 000003
【図２Ａ】
0006312677.tif 000004
【図２Ｂ】
0006312677.tif 000005
【図３Ａ】
0006312677.tif 000006
【図３Ｂ】
0006312677.tif 000007
【図４Ａ】
0006312677.tif 000008
【図４Ｂ】
0006312677.tif 000009
【図５Ａ】
0006312677.tif 000010
【図５Ｂ】
0006312677.tif 000011
【図６Ａ】
0006312677.tif 000012
【図６Ｂ】
0006312677.tif 000013
【図７Ａ】
0006312677.tif 000014
【図７Ｂ】
0006312677.tif 000015